(57)【要約】【課題】一度アクセス制限を設けて送信したコンテンツについて、一定時間経過前に既に送信したコンテンツと同じ内容のコンテンツを再送信することなく、一定時間経過後にそのコンテンツへのアクセス制限を解除することができる送受信システム、送信装置、受信装置、送受信方法、送信装置プログラム、受信装置プログラムを提供する。【解決手段】送信装置では、暗号化コンテンツと、第１の共通情報ＥＣＭ１とを送信する。また、第２の共通情報ＥＣＭ２を第１の共通情報ＥＣＭ１の送信より遅れて送信する。受信装置では、暗号化コンテンツを受信し、第１のワーク鍵Ｋｗ１を有する場合には、第１の共通情報ＥＣＭ１を復号してスクランブル鍵Ｋｓを取得する。一方、第１のワーク鍵Ｋｗ１を持たず、かつ、第２のワーク鍵Ｋｗ２を有する場合には、第２の共通情報ＥＣＭ２を復号してスクランブル鍵Ｋｓを取得する。【選択図】図４
2011061266.tif 000002
【特許請求の範囲】
【請求項１】
スクランブル鍵（Ｋｓ）を生成するスクランブル鍵生成手段と、
前記スクランブル鍵生成手段により生成された前記スクランブル鍵によりコンテンツを暗号化するコンテンツ暗号化手段と、
前記コンテンツ暗号化手段により暗号化された暗号化コンテンツを送信する暗号化コンテンツ送信手段と、
前記スクランブル鍵を含む情報であって第１のワーク鍵（Ｋｗ１）により暗号化された第１の共通情報（ＥＣＭ１）を生成する第１の共通情報生成手段と、
前記第１の共通情報生成手段により生成された前記第１の共通情報を送信する第１の共通情報送信手段と、
前記スクランブル鍵を含む情報であって第２のワーク鍵（Ｋｗ２）により暗号化された第２の共通情報（ＥＣＭ２）を生成する第２の共通情報生成手段と、
前記第２の共通情報生成手段により生成された前記第２の共通情報を前記第１の共通情報送信手段が前記第１の共通情報を送信するよりも遅れて送信する第２の共通情報送信手段と、
を備えた送信装置と、
前記暗号化コンテンツを受信する暗号化コンテンツ受信手段と、
前記暗号化コンテンツ受信手段により受信した前記暗号化コンテンツを記憶する暗号化コンテンツ記憶手段と、
前記第１のワーク鍵又は前記第２のワーク鍵を記憶するワーク鍵記憶手段と、
前記第１の共通情報又は前記第２の共通情報を受信する共通情報受信手段と、
前記ワーク鍵記憶手段が記憶している前記第１のワーク鍵を用いて前記共通情報受信手段が受信した前記第１の共通情報に含まれる前記スクランブル鍵を復号する、又は、前記ワーク鍵記憶手段が記憶している前記第２のワーク鍵を用いて前記共通情報受信手段が受信した前記第２の共通情報に含まれる前記スクランブル鍵を復号するスクランブル鍵復号手段と、
前記スクランブル鍵復号手段により前記第１のワーク鍵を用いて復号した前記スクランブル鍵を用いて前記暗号化コンテンツ受信手段が受信した前記暗号化コンテンツを復号する、又は、前記スクランブル鍵復号手段により前記第２のワーク鍵を用いて復号した前記スクランブル鍵を用いて前記暗号化コンテンツ受信手段が受信して前記暗号化コンテンツ記憶手段に記憶された前記暗号化コンテンツを復号するコンテンツ復号手段と、
を備えた受信装置と、
を備える送受信システム。
【請求項２】
請求項１に記載の送受信システムにおいて、
当該送受信システムでは、少なくとも第１のサービスと第２のサービスとが提供されており、
前記送信装置は、
前記受信装置、又は、当該受信装置を保有して当該送受信システムを用いたサービスを享受する加入者を一意に特定する視聴権識別情報に基づいて、前記第１のサービスに対応する第１の固有鍵、及び、前記第２のサービスに対応する第２の固有鍵を生成する固有鍵生成手段と、
前記第１のサービスに対応する前記第１のワーク鍵、及び、前記第２のサービスに対応する前記第２のワーク鍵を生成するワーク鍵生成手段と、
前記第１のワーク鍵を含む情報であって前記第１の固有鍵を用いて暗号化された第１の個別情報（ＥＭＭ１）を生成する第１の個別情報生成手段と、
前記第１の個別情報生成手段が生成した前記第１の個別情報を送信する第１の個別情報送信手段と、
前記第２のワーク鍵を含む情報であって前記第２の固有鍵を用いて暗号化された第２の個別情報（ＥＭＭ２）を生成する第２の個別情報生成手段と、
前記第２の個別情報生成手段が生成した前記第２の個別情報を送信する第２の個別情報送信手段と、
を備え、
前記受信装置は、
前記第１の固有鍵又は前記第２の固有鍵を記憶する固有鍵記憶手段と、
前記第１の個別情報又は前記第２の個別情報を受信する個別情報受信手段と、
前記個別情報受信手段が受信した前記第１の個別情報又は第２の個別情報を前記固有鍵記憶手段に記憶している前記第１の固有鍵又は前記第２の固有鍵を用いて復号して前記ワーク鍵記憶手段に記憶させるワーク鍵復号手段と、
を備えること、
を特徴とする送受信システム。
【請求項３】
請求項１又は請求項２に記載の送受信システムにおいて、
前記第２の共通情報が前記第２のワーク鍵により暗号化される前の情報の内容は、前記第１の共通情報が前記第１のワーク鍵により暗号化される前の情報の内容と同一であること、
を特徴とする送受信システム。
【請求項４】
請求項１から請求項３までのいずれか１項に記載の送受信システムにおいて、
前記送信装置は、前記第２の共通情報送信手段が前記第２の共通情報を前記第１の共通情報送信手段が前記第１の共通情報を送信するよりも遅れて送信する共通情報遅延時間に関する情報を送信する共通情報遅延時間情報送信手段を備え、
前記受信装置は、前記共通情報遅延時間に関する情報を受信する遅延時間共通情報受信手段を備えること、
を特徴とする送受信システム。
【請求項５】
スクランブル鍵（Ｋｓ）を生成するスクランブル鍵生成手段と、
前記スクランブル鍵生成手段により生成された前記スクランブル鍵によりコンテンツを暗号化するコンテンツ暗号化手段と、
前記コンテンツ暗号化手段により暗号化された暗号化コンテンツを送信する暗号化コンテンツ送信手段と、
前記スクランブル鍵を含む情報であって第１のワーク鍵（Ｋｗ１）により暗号化された第１の共通情報（ＥＣＭ１）を生成する第１の共通情報生成手段と、
前記第１の共通情報生成手段により生成された前記第１の共通情報を送信する第１の共通情報送信手段と、
前記スクランブル鍵を含む情報であって第２のワーク鍵（Ｋｗ２）により暗号化された第２の共通情報（ＥＣＭ２）を生成する第２の共通情報生成手段と、
前記第２の共通情報生成手段により生成された前記第２の共通情報を前記第１の共通情報送信手段が前記第１の共通情報を送信するよりも遅れて送信する第２の共通情報送信手段と、
を備えた送信装置。
【請求項６】
スクランブル鍵により暗号化された暗号化コンテンツを受信する暗号化コンテンツ受信手段と、
前記暗号化コンテンツ受信手段により受信した前記暗号化コンテンツを記憶する暗号化コンテンツ記憶手段と、
第１のワーク鍵又は第２のワーク鍵を記憶するワーク鍵記憶手段と、
前記スクランブル鍵を含む情報であって前記第１のワーク鍵（Ｋｗ１）により暗号化された第１の共通情報（ＥＣＭ１）又は前記スクランブル鍵を含む情報であって前記第２のワーク鍵（Ｋｗ２）により暗号化された第２の共通情報（ＥＣＭ２）を受信する共通情報受信手段と、
前記ワーク鍵記憶手段が記憶している前記第１のワーク鍵を用いて前記共通情報受信手段が受信した前記第１の共通情報に含まれる前記スクランブル鍵を復号する、又は、前記ワーク鍵記憶手段が記憶している前記第２のワーク鍵を用いて前記共通情報受信手段が受信した前記第２の共通情報に含まれる前記スクランブル鍵を復号するスクランブル鍵復号手段と、
前記スクランブル鍵復号手段により前記第１のワーク鍵を用いて復号した前記スクランブル鍵を用いて前記暗号化コンテンツ受信手段が受信した前記暗号化コンテンツを復号する、又は、前記スクランブル鍵復号手段により前記第２のワーク鍵を用いて復号した前記スクランブル鍵を用いて前記暗号化コンテンツ受信手段が受信して前記暗号化コンテンツ記憶手段に記憶された前記暗号化コンテンツを復号するコンテンツ復号手段と、
を備えた受信装置。
【請求項７】
スクランブル鍵（Ｋｓ）を生成するスクランブル鍵生成ステップと、
前記スクランブル鍵生成ステップにより生成された前記スクランブル鍵によりコンテンツを暗号化するコンテンツ暗号化ステップと、
前記コンテンツ暗号化ステップにより暗号化された暗号化コンテンツを送信する暗号化コンテンツ送信ステップと、
前記スクランブル鍵を含む情報であって第１のワーク鍵（Ｋｗ１）により暗号化された第１の共通情報（ＥＣＭ１）を生成する第１の共通情報生成ステップと、
前記第１の共通情報生成ステップにより生成された前記第１の共通情報を送信する第１の共通情報送信ステップと、
前記スクランブル鍵を含む情報であって第２のワーク鍵（Ｋｗ２）により暗号化された第２の共通情報（ＥＣＭ２）を生成する第２の共通情報生成ステップと、
前記第２の共通情報生成ステップにより生成された前記第２の共通情報を前記第１の共通情報送信ステップが前記第１の共通情報を送信するよりも遅れて送信する第２の共通情報送信ステップと、
前記暗号化コンテンツを受信する暗号化コンテンツ受信ステップと、
前記暗号化コンテンツ受信ステップにより受信した前記暗号化コンテンツを記憶する暗号化コンテンツ記憶ステップと、
前記第１のワーク鍵又は前記第２のワーク鍵を記憶するワーク鍵記憶ステップと、
前記第１の共通情報又は前記第２の共通情報を受信する共通情報受信ステップと、
前記ワーク鍵記憶ステップが記憶している前記第１のワーク鍵を用いて前記共通情報受信ステップが受信した前記第１の共通情報に含まれる前記スクランブル鍵を復号する、又は、前記ワーク鍵記憶ステップが記憶している前記第２のワーク鍵を用いて前記共通情報受信ステップが受信した前記第２の共通情報に含まれる前記スクランブル鍵を復号するスクランブル鍵復号ステップと、
前記スクランブル鍵復号ステップにより前記第１のワーク鍵を用いて復号した前記スクランブル鍵を用いて前記暗号化コンテンツ受信ステップが受信した前記暗号化コンテンツを復号する、又は、前記スクランブル鍵復号ステップにより前記第２のワーク鍵を用いて復号した前記スクランブル鍵を用いて前記暗号化コンテンツ受信ステップが受信して前記暗号化コンテンツ記憶ステップに記憶された前記暗号化コンテンツを復号するコンテンツ復号ステップと、
を備える送受信方法。
【請求項８】
コンピュータに、
スクランブル鍵（Ｋｓ）を生成するスクランブル鍵生成ステップと、
前記スクランブル鍵生成ステップにより生成された前記スクランブル鍵によりコンテンツを暗号化するコンテンツ暗号化ステップと、
前記コンテンツ暗号化ステップにより暗号化された暗号化コンテンツを送信する暗号化コンテンツ送信ステップと、
前記スクランブル鍵を含む情報であって第１のワーク鍵（Ｋｗ１）により暗号化された第１の共通情報（ＥＣＭ１）を生成する第１の共通情報生成ステップと、
前記第１の共通情報生成ステップにより生成された前記第１の共通情報を送信する第１の共通情報送信ステップと、
前記スクランブル鍵を含む情報であって第２のワーク鍵（Ｋｗ２）により暗号化された第２の共通情報（ＥＣＭ２）を生成する第２の共通情報生成ステップと、
前記第２の共通情報生成ステップにより生成された前記第２の共通情報を前記第１の共通情報送信ステップが前記第１の共通情報を送信するよりも遅れて送信する第２の共通情報送信ステップと、
を実行させるための送信装置プログラム。
【請求項９】
コンピュータに、
スクランブル鍵により暗号化された暗号化コンテンツを受信する暗号化コンテンツ受信ステップと、
前記暗号化コンテンツ受信ステップにより受信した前記暗号化コンテンツを記憶する暗号化コンテンツ記憶ステップと、
第１のワーク鍵又は第２のワーク鍵を記憶するワーク鍵記憶ステップと、
前記スクランブル鍵を含む情報であって前記第１のワーク鍵（Ｋｗ１）により暗号化された第１の共通情報（ＥＣＭ１）又は前記スクランブル鍵を含む情報であって前記第２のワーク鍵（Ｋｗ２）により暗号化された第２の共通情報（ＥＣＭ２）を受信する共通情報受信ステップと、
前記ワーク鍵記憶ステップが記憶している前記第１のワーク鍵を用いて前記共通情報受信ステップが受信した前記第１の共通情報に含まれる前記スクランブル鍵を復号する、又は、前記ワーク鍵記憶ステップが記憶している前記第２のワーク鍵を用いて前記共通情報受信ステップが受信した前記第２の共通情報に含まれる前記スクランブル鍵を復号するスクランブル鍵復号ステップと、
前記スクランブル鍵復号ステップにより前記第１のワーク鍵を用いて復号した前記スクランブル鍵を用いて前記暗号化コンテンツ受信ステップが受信した前記暗号化コンテンツを復号する、又は、前記スクランブル鍵復号ステップにより前記第２のワーク鍵を用いて復号した前記スクランブル鍵を用いて前記暗号化コンテンツ受信ステップが受信して前記暗号化コンテンツ記憶ステップに記憶された前記暗号化コンテンツを復号するコンテンツ復号ステップと、
を実行させるための受信装置プログラム。
【発明の詳細な説明】
【技術分野】
【０００１】
本発明は、株価情報等の即時性に特に高い情報価値を有するコンテンツを送信する送受信システム、送信装置、受信装置、送受信方法、送信装置プログラム、受信装置プログラムに関するものである。
【背景技術】
【０００２】
従来から、株価情報等、即時性に特に高い価値を有する情報は、有料情報として提供される場合が多かった。例えば、インターネットを用いて株価情報を提供する場合には、有料情報へのアクセス権を有する者のみが、株市場で取引されているリアルタイム（例えば、１秒）の情報にアクセス可能となっている。そして、一定時間（例えば、２０分）経過後の既に情報としての価値が低下した株価情報は、有料情報へのアクセス権を有していない一般の利用者であってもアクセス可能となっている。なお、以下の記載では、アクセス権の有無によりコンテンツの参照可否を制御する仕組みをアクセス制御、コンテンツの参照を特定の視聴する権利を有する者のみに制限することをアクセス制限と呼称する。
【０００３】
一方、不特定多数の視聴者に対してコンテンツを提供する放送サービスにおいては、一定時間経過後（例えば、２０分）の既に情報としての価値が低下した株価情報を提供している。
【０００４】
有料放送におけるコンテンツは、デジタル暗号化技術を用いて視聴権の有無により視聴の可否を事業者側で制御する仕組みを備えている。例えば、デジタルテレビ放送では、社団法人電波産業会（Association of Radio Industries and Businesses:ARIB）の標準規格「ARIB STD-B25」（非特許文献１）に準拠したCAS（Conditional Access Systems）によって、放送波コンテンツのスクランブルが行われ、視聴の可否を事業者側で制御している。
【先行技術文献】
【非特許文献】
【０００５】
【非特許文献１】「ARIB STD-B25」、社団法人電波産業会、5.0版、平成１９年３月１４日
【発明の概要】
【発明が解決しようとする課題】
【０００６】
しかし、非特許文献１に記載されている手法では、アクセス権を持たない受信機においては、契約等の締結によりアクセス制限を解除する以外、一切、コンテンツを視聴することができなかった。したがって、放送により有料情報を放送し、一定時間経過後にその有料情報を無料で提供したい場合には、再度、無償のコンテンツとして一定時間経過前に既に送信したコンテンツと同じ内容のコンテンツを送信し直す必要があり、放送伝送帯域を効率よく利用できなかった。
【０００７】
本発明の課題は、一度アクセス制限を設けて送信したコンテンツについて、一定時間経過前に既に送信したコンテンツと同じ内容のコンテンツを再送信することなく、一定時間経過後にそのコンテンツへのアクセス制限を解除することができる送受信システム、送信装置、受信装置、送受信方法、送信装置プログラム、受信装置プログラムを提供することである。
【課題を解決するための手段】
【０００８】
本発明は、上記の課題を解決するために、以下の事項を提案している。なお、理解を容易にするために、本発明の実施形態に対応する符号等を付して説明するが、これに限定されるものではない。
【０００９】
（１）本発明は、スクランブル鍵（Ｋｓ）を生成するスクランブル鍵生成手段（１０１ａ）と、前記スクランブル鍵生成手段により生成された前記スクランブル鍵によりコンテンツを暗号化するコンテンツ暗号化手段（１０２ａ）と、前記コンテンツ暗号化手段により暗号化された暗号化コンテンツを送信する暗号化コンテンツ送信手段（１０２ｂ）と、前記スクランブル鍵を含む情報であって第１のワーク鍵（Ｋｗ１）により暗号化された第１の共通情報（ＥＣＭ１）を生成する第１の共通情報生成手段（１０３ｃ）と、前記第１の共通情報生成手段により生成された前記第１の共通情報を送信する第１の共通情報送信手段（１０３ｈ）と、前記スクランブル鍵を含む情報であって第２のワーク鍵（Ｋｗ２）により暗号化された第２の共通情報（ＥＣＭ２）を生成する第２の共通情報生成手段（１０３ｄ）と、前記第２の共通情報生成手段により生成された前記第２の共通情報を前記第１の共通情報送信手段が前記第１の共通情報を送信するよりも遅れて送信する第２の共通情報送信手段（１０３ｉ）とを備えた送信装置（１００）と、前記暗号化コンテンツを受信する暗号化コンテンツ受信手段（２０１ａ）と、前記暗号化コンテンツ受信手段により受信した前記暗号化コンテンツを記憶する暗号化コンテンツ記憶手段（２０１ｂ）と、前記第１のワーク鍵又は前記第２のワーク鍵を記憶するワーク鍵記憶手段（２０５）と、前記第１の共通情報又は前記第２の共通情報を受信する共通情報受信手段（２０２ａ）と、前記ワーク鍵記憶手段が記憶している前記第１のワーク鍵を用いて前記共通情報受信手段が受信した前記第１の共通情報に含まれる前記スクランブル鍵を復号する、又は、前記ワーク鍵記憶手段が記憶している前記第２のワーク鍵を用いて前記共通情報受信手段が受信した前記第２の共通情報に含まれる前記スクランブル鍵を復号するスクランブル鍵復号手段（２０４ｂ）と、前記スクランブル鍵復号手段により前記第１のワーク鍵を用いて復号した前記スクランブル鍵を用いて前記暗号化コンテンツ受信手段が受信した前記暗号化コンテンツを復号する、又は、前記スクランブル鍵復号手段により前記第２のワーク鍵を用いて復号した前記スクランブル鍵を用いて前記暗号化コンテンツ受信手段が受信して前記暗号化コンテンツ記憶手段に記憶された前記暗号化コンテンツを復号するコンテンツ復号手段（２０６）とを備えた受信装置（２００）とを備える送受信システムを提案している。
【００１０】
この発明によれば、スクランブル鍵生成手段は、スクランブル鍵を生成する。コンテンツ暗号化手段は、スクランブル鍵生成手段により生成されたスクランブル鍵によりコンテンツを暗号化する。暗号化コンテンツ送信手段は、コンテンツ暗号化手段により暗号化された暗号化コンテンツを送信する。第１の共通情報生成手段は、スクランブル鍵を含む情報であって第１のワーク鍵により暗号化された第１の共通情報を生成する。第１の共通情報送信手段は、第１の共通情報生成手段により生成された第１の共通情報を送信する。第２の共通情報生成手段は、スクランブル鍵を含む情報であって第２のワーク鍵により暗号化された第２の共通情報を生成する。第２の共通情報送信手段は、第２の共通情報生成手段により生成された第２の共通情報を第１の共通情報送信手段が第１の共通情報を送信するよりも遅れて送信する。暗号化コンテンツ受信手段は、暗号化コンテンツを受信する。暗号化コンテンツ記憶手段は、暗号化コンテンツ受信手段により受信した暗号化コンテンツを記憶する。ワーク鍵記憶手段は、第１のワーク鍵又は第２のワーク鍵を記憶する。共通情報受信手段は、第１の共通情報又は第２の共通情報を受信する。スクランブル鍵復号手段は、ワーク鍵記憶手段が記憶している第１のワーク鍵を用いて共通情報受信手段が受信した第１の共通情報に含まれるスクランブル鍵を復号する、又は、ワーク鍵記憶手段が記憶している第２のワーク鍵を用いて共通情報受信手段が受信した第２の共通情報に含まれるスクランブル鍵を復号する。コンテンツ復号手段は、スクランブル鍵復号手段により第１のワーク鍵を用いて復号したスクランブル鍵を用いて暗号化コンテンツ受信手段が受信した暗号化コンテンツを復号する、又は、スクランブル鍵復号手段により第２のワーク鍵を用いて復号したスクランブル鍵を用いて暗号化コンテンツ受信手段が受信して暗号化コンテンツ記憶手段に記憶されたた暗号化コンテンツを復号する。したがって、一度アクセス制限を設けて送信したコンテンツについて、一定時間経過前に既に送信したコンテンツと同じ内容のコンテンツを再送信することなく、一定時間経過後にそのコンテンツへのアクセス制限を解除することができる。
【００１１】
（２）本発明は、（１）に記載の送受信システムにおいて、当該送受信システムでは、少なくとも第１のサービス（視聴コース１）と第２のサービス（視聴コース２）とが提供されており、前記送信装置（１００）は、前記受信装置（２００）、又は、当該受信装置を保有して当該送受信システムを用いたサービスを享受する加入者を一意に特定する視聴権識別情報に基づいて、前記第１のサービスに対応する第１の固有鍵（Ｋｍ１）、及び、前記第２のサービスに対応する第２の固有鍵（Ｋｍ２）を生成する固有鍵生成手段（１０１ｂ）と、前記第１のサービスに対応する前記第１のワーク鍵（Ｋｗ１）、及び、前記第２のサービスに対応する前記第２のワーク鍵（Ｋｗ２）を生成するワーク鍵生成手段（１０１ｃ）と、前記第１のワーク鍵を含む情報であって前記第１の固有鍵を用いて暗号化された第１の個別情報（ＥＭＭ１）を生成する第１の個別情報生成手段（１０３ａ）と、前記第１の個別情報生成手段が生成した前記第１の個別情報を送信する第１の個別情報送信手段（１０３ｆ）と、前記第２のワーク鍵を含む情報であって前記第２の固有鍵を用いて暗号化された第２の個別情報（ＥＭＭ２）を生成する第２の個別情報生成手段（１０３ｂ）と、前記第２の個別情報生成手段が生成した前記第２の個別情報を送信する第２の個別情報送信手段（１０３ｇ）とを備え、前記受信装置（２００）は、前記第１の固有鍵又は前記第２の固有鍵を記憶する固有鍵記憶手段（２０３）と、前記第１の個別情報又は前記第２の個別情報を受信する個別情報受信手段（２０２ｃ）と、前記個別情報受信手段が受信した前記第１の個別情報又は第２の個別情報を前記固有鍵記憶手段に記憶している前記第１の固有鍵又は前記第２の固有鍵を用いて復号して前記ワーク鍵記憶手段（２０５）に記憶させるワーク鍵復号手段（２０４ａ）とを備えることを特徴とする送受信システムを提案している。
【００１２】
この発明によれば、固有鍵生成手段は、受信装置、又は、当該受信装置を保有して当該送受信システムを用いたサービスを享受する加入者を一意に特定する視聴権識別情報に基づいて、第１のサービスに対応する第１の固有鍵、及び、第２のサービスに対応する第２の固有鍵を生成する。ワーク鍵生成手段は、第１のサービスに対応する第１のワーク鍵、及び、第２のサービスに対応する第２のワーク鍵を生成する。第１の個別情報生成手段は、第１のワーク鍵を含む情報であって第１の固有鍵を用いて暗号化された第１の個別情報を生成する。第１の個別情報送信手段は、第１の個別情報生成手段が生成した第１の個別情報を送信する。第２の個別情報生成手段は、第２のワーク鍵を含む情報であって第２の固有鍵を用いて暗号化された第２の個別情報を生成する。第２の個別情報送信手段は、第２の個別情報生成手段が生成した第２の個別情報を送信する。固有鍵記憶手段は、第１の固有鍵又は第２の固有鍵を記憶する。個別情報受信手段は、第１の個別情報又は第２の個別情報を受信する。ワーク鍵復号手段は、個別情報受信手段が受信した第１の個別情報又は第２の個別情報を固有鍵記憶手段に記憶している第１の固有鍵又は第２の固有鍵を用いて復号してワーク鍵記憶手段に記憶させる。したがって、第１のサービス、または、第２のサービスを享受する加入者を一意に特定する視聴権識別情報を用いて、アクセス制限とアクセス制限の解除を行える。
【００１３】
（３）本発明は、（１）又は（２）に記載の送受信システムにおいて、前記第２の共通情報（ＥＣＭ２）が前記第２のワーク鍵（Ｋｗ２）により暗号化される前の情報の内容は、前記第１の共通情報（ＥＣＭ１）が前記第１のワーク鍵（Ｋｗ１）により暗号化される前の情報の内容と同一であることを特徴とする送受信システムを提案している。
【００１４】
この発明によれば、第２の共通情報が第２のワーク鍵により暗号化される前の情報の内容は、第１の共通情報が第１のワーク鍵により暗号化される前の情報の内容と同一である。したがって、アクセス制限の解除前後において、同じコンテンツに対してのスクランブル鍵を共通にできる。
【００１５】
（４）本発明は、（１）から（３）までのいずれか１項に記載の送受信システムにおいて、前記送信装置（１００）は、前記第２の共通情報送信手段（１０３ｉ）が前記第２の共通情報（ＥＣＭ２）を前記第１の共通情報送信手段（１０３ｈ）が前記第１の共通情報（ＥＣＭ１）を送信するよりも遅れて送信する共通情報遅延時間に関する情報（Δｔ）を生成する共通情報遅延時間情報生成手段（１０３ｅ）を備え、前記、共通情報遅延時間情報生成手段が生成した共通情報遅延時間に関する情報（Δｔ）送信する共通情報遅延時間情報送信手段（１０３ｊ）を備え、前記受信装置（２００）は、前記共通情報遅延時間に関する情報を受信する共通情報遅延時間受信手段（２０２ｂ）を備えることを特徴とする送受信システムを提案している。
【００１６】
この発明によれば、共通情報遅延時間情報送信手段は、第２の共通情報送信手段が第２の共通情報を第１の共通情報送信手段が第１の共通情報を送信するよりも遅れて送信する共通情報遅延時間に関する情報を送信する。遅延時間共通情報受信手段は、共通情報遅延時間に関する情報を受信する。したがって、第１の共通情報と第２の共通情報の送信遅延時間を受信装置が正確に把握することができ、第２の共通情報を用いてコンテンツを復号する際の時間関係を正しく管理し、コンテンツ復号を制御できる。
【００１７】
（５）本発明は、スクランブル鍵（Ｋｓ）を生成するスクランブル鍵生成手段（１０１ａ）と、前記スクランブル鍵生成手段により生成された前記スクランブル鍵によりコンテンツを暗号化するコンテンツ暗号化手段（１０２ａ）と、前記コンテンツ暗号化手段により暗号化された暗号化コンテンツを送信する暗号化コンテンツ送信手段（１０２ｂ）と、前記スクランブル鍵を含む情報であって第１のワーク鍵（Ｋｗ１）により暗号化された第１の共通情報（ＥＣＭ１）を生成する第１の共通情報生成手段（１０３ｃ）と、前記第１の共通情報生成手段により生成された前記第１の共通情報を送信する第１の共通情報送信手段（１０３ｈ）と、前記スクランブル鍵を含む情報であって第２のワーク鍵（Ｋｗ２）により暗号化された第２の共通情報（ＥＣＭ２）を生成する第２の共通情報生成手段（１０３ｄ）と、前記第２の共通情報生成手段により生成された前記第２の共通情報を前記第１の共通情報送信手段が前記第１の共通情報を送信するよりも遅れて送信する第２の共通情報送信手段（１０３ｉ）とを備えた送信装置（１００）を提案している。
【００１８】
この発明によれば、スクランブル鍵生成手段は、スクランブル鍵を生成する。コンテンツ暗号化手段は、スクランブル鍵生成手段により生成されたスクランブル鍵によりコンテンツを暗号化する。暗号化コンテンツ送信手段は、コンテンツ暗号化手段により暗号化された暗号化コンテンツを送信する。第１の共通情報生成手段は、スクランブル鍵を含む情報であって第１のワーク鍵により暗号化された第１の共通情報を生成する。第１の共通情報送信手段は、第１の共通情報生成手段により生成された第１の共通情報を送信する。第２の共通情報生成手段は、スクランブル鍵を含む情報であって第２のワーク鍵により暗号化された第２の共通情報を生成する。第２の共通情報送信手段は、第２の共通情報生成手段により生成された第２の共通情報を第１の共通情報送信手段が第１の共通情報を送信するよりも遅れて送信する。したがって、一度アクセス制限を設けて送信したコンテンツについて、一定時間経過前に既に送信したコンテンツと同じ内容のコンテンツを再送信することなく、一定時間経過後にそのコンテンツへのアクセス制限を解除することができる。
【００１９】
（６）本発明は、スクランブル鍵（Ｋｓ）により暗号化された暗号化コンテンツを受信する暗号化コンテンツ受信手段（２０１ａ）と、前記暗号化コンテンツ受信手段により受信した前記暗号化コンテンツを記憶する暗号化コンテンツ記憶手段（２０１ｂ）と、第１のワーク鍵（Ｋｗ１）又は第２のワーク鍵（Ｋｗ２）を記憶するワーク鍵記憶手段（２０５）と、前記スクランブル鍵を含む情報であって前記第１のワーク鍵（Ｋｗ１）により暗号化された第１の共通情報（ＥＣＭ１）又は前記スクランブル鍵を含む情報であって前記第２のワーク鍵（Ｋｗ２）により暗号化された第２の共通情報（ＥＣＭ２）を受信する共通情報受信手段（２０２ａ）と、前記ワーク鍵記憶手段が記憶している前記第１のワーク鍵を用いて前記共通情報受信手段が受信した前記第１の共通情報に含まれる前記スクランブル鍵を復号する、又は、前記ワーク鍵記憶手段が記憶している前記第２のワーク鍵を用いて前記共通情報受信手段が受信した前記第２の共通情報に含まれる前記スクランブル鍵を復号するスクランブル鍵復号手段（２０４ｂ）と、前記スクランブル鍵復号手段により前記第１のワーク鍵を用いて復号した前記スクランブル鍵を用いて前記暗号化コンテンツ受信手段が受信した前記暗号化コンテンツを復号する、又は、前記スクランブル鍵復号手段により前記第２のワーク鍵を用いて復号した前記スクランブル鍵を用いて前記暗号化コンテンツ受信手段が受信して前記暗号化コンテンツ記憶手段に記憶された前記暗号化コンテンツを復号するコンテンツ復号手段（２０６）とを備えた受信装置（２００）を提案している。
【００２０】
この発明によれば、暗号化コンテンツ受信手段は、スクランブル鍵により暗号化された暗号化コンテンツを受信する。暗号化コンテンツ記憶手段は、暗号化コンテンツ受信手段により受信した暗号化コンテンツを記憶する。ワーク鍵記憶手段と、第１のワーク鍵又は第２のワーク鍵を記憶する。共通情報受信手段は、スクランブル鍵を含む情報であって第１のワーク鍵により暗号化された第１の共通情報又はスクランブル鍵を含む情報であって第２のワーク鍵により暗号化された第２の共通情報を受信する。スクランブル鍵復号手段は、ワーク鍵記憶手段が記憶している第１のワーク鍵を用いて共通情報受信手段が受信した第１の共通情報に含まれるスクランブル鍵を復号する、又は、ワーク鍵記憶手段が記憶している第２のワーク鍵を用いて共通情報受信手段が受信した第２の共通情報に含まれるスクランブル鍵を復号する。コンテンツ復号手段は、スクランブル鍵復号手段により第１のワーク鍵を用いて復号したスクランブル鍵を用いて暗号化コンテンツ受信手段が受信した暗号化コンテンツを復号する、又は、スクランブル鍵復号手段により第２のワーク鍵を用いて復号したスクランブル鍵を用いて暗号化コンテンツ受信手段が受信して暗号化コンテンツ記憶手段に記憶された暗号化コンテンツを復号する。したがって、一度アクセス制限を設けて送信したコンテンツについて、一定時間経過前に既に送信したコンテンツと同じ内容のコンテンツを再送信することなく、一定時間経過後にそのコンテンツへのアクセス制限を解除することができる。
【００２１】
（７）本発明は、スクランブル鍵（Ｋｓ）を生成するスクランブル鍵生成ステップ（Ｓ１１０）と、前記スクランブル鍵生成ステップにより生成された前記スクランブル鍵によりコンテンツを暗号化するコンテンツ暗号化ステップ（Ｓ１４０）と、前記コンテンツ暗号化ステップにより暗号化された暗号化コンテンツを送信する暗号化コンテンツ送信ステップ（Ｓ１６０）と、前記スクランブル鍵を含む情報であって第１のワーク鍵（Ｋｗ１）により暗号化された第１の共通情報（ＥＣＭ１）を生成する第１の共通情報生成ステップ（Ｓ１５０）と、前記第１の共通情報生成ステップにより生成された前記第１の共通情報を送信する第１の共通情報送信ステップ（Ｓ１７０）と、前記スクランブル鍵を含む情報であって第２のワーク鍵（Ｋｗ２）により暗号化された第２の共通情報（ＥＣＭ２）を生成する第２の共通情報生成ステップ（Ｓ１５０）と、前記第２の共通情報生成ステップにより生成された前記第２の共通情報を前記第１の共通情報送信ステップが前記第１の共通情報を送信するよりも遅れて送信する第２の共通情報送信ステップ（Ｓ１８０）と、前記暗号化コンテンツを受信する暗号化コンテンツ受信ステップ（Ｓ２５０，Ｓ３５０）と、前記暗号化コンテンツ受信ステップ（Ｓ３３０）により受信した前記暗号化コンテンツを記憶する暗号化コンテンツ記憶ステップ（Ｓ３４０）と、前記第１のワーク鍵又は前記第２のワーク鍵を記憶するワーク鍵記憶ステップ（Ｓ２２０，Ｓ３２０）と、前記第１の共通情報又は前記第２の共通情報を受信する共通情報受信ステップ（Ｓ２３０，Ｓ３５０）と、前記ワーク鍵記憶ステップが記憶している前記第１のワーク鍵を用いて前記共通情報受信ステップが受信した前記第１の共通情報に含まれる前記スクランブル鍵を復号する、又は、前記ワーク鍵記憶ステップが記憶している前記第２のワーク鍵を用いて前記共通情報受信ステップが受信した前記第２の共通情報に含まれる前記スクランブル鍵を復号するスクランブル鍵復号ステップ（Ｓ２４０，Ｓ３６０）と、前記スクランブル鍵復号ステップにより前記第１のワーク鍵を用いて復号した前記スクランブル鍵を用いて前記暗号化コンテンツ受信ステップが受信した前記暗号化コンテンツを復号する、又は、前記スクランブル鍵復号ステップにより前記第２のワーク鍵を用いて復号した前記スクランブル鍵を用いて前記暗号化コンテンツ受信ステップが受信して前記暗号化コンテンツ記憶ステップに記憶された前記暗号化コンテンツを復号するコンテンツ復号ステップ（Ｓ２６０，Ｓ３７０）とを備える送受信方法を提案している。
【００２２】
この発明によれば、スクランブル鍵生成ステップでは、スクランブル鍵を生成する。コンテンツ暗号化ステップでは、スクランブル鍵生成ステップにより生成されたスクランブル鍵によりコンテンツを暗号化する。暗号化コンテンツ送信ステップでは、コンテンツ暗号化ステップにより暗号化された暗号化コンテンツを送信する。第１の共通情報生成ステップでは、スクランブル鍵を含む情報であって第１のワーク鍵により暗号化された第１の共通情報を生成する。第１の共通情報送信ステップでは、第１の共通情報生成ステップにより生成された第１の共通情報を送信する。第２の共通情報生成ステップでは、スクランブル鍵を含む情報であって第２のワーク鍵により暗号化された第２の共通情報を生成する。第２の共通情報送信ステップでは、第２の共通情報生成ステップにより生成された第２の共通情報を第１の共通情報送信ステップが第１の共通情報を送信するよりも遅れて送信する。暗号化コンテンツ受信ステップでは、暗号化コンテンツを受信する。暗号化コンテンツ記憶ステップでは、暗号化コンテンツ受信ステップにより受信した暗号化コンテンツを記憶する。ワーク鍵記憶ステップでは、第１のワーク鍵又は第２のワーク鍵を記憶する。共通情報受信ステップでは、第１の共通情報又は第２の共通情報を受信する。スクランブル鍵復号ステップでは、ワーク鍵記憶ステップが記憶している第１のワーク鍵を用いて共通情報受信ステップが受信した第１の共通情報に含まれるスクランブル鍵を復号する、又は、ワーク鍵記憶ステップが記憶している第２のワーク鍵を用いて共通情報受信ステップが受信した第２の共通情報に含まれるスクランブル鍵を復号する。コンテンツ復号ステップでは、スクランブル鍵復号ステップにより第１のワーク鍵を用いて復号したスクランブル鍵を用いて暗号化コンテンツ受信ステップが受信した暗号化コンテンツを復号する、又は、スクランブル鍵復号ステップにより第２のワーク鍵を用いて復号したスクランブル鍵を用いて暗号化コンテンツ受信ステップが受信して暗号化コンテンツ記憶ステップに記憶された暗号化コンテンツを復号する。したがって、一度アクセス制限を設けて送信したコンテンツについて、一定時間経過前に既に送信したコンテンツと同じ内容のコンテンツを再送信することなく、一定時間経過後にそのコンテンツへのアクセス制限を解除することができる。
【００２３】
（８）本発明は、コンピュータに、スクランブル鍵（Ｋｓ）を生成するスクランブル鍵生成ステップ（Ｓ１１０）と、前記スクランブル鍵生成ステップにより生成された前記スクランブル鍵によりコンテンツを暗号化するコンテンツ暗号化ステップ（Ｓ１４０）と、前記コンテンツ暗号化ステップにより暗号化された暗号化コンテンツを送信する暗号化コンテンツ送信ステップ（Ｓ１６０）と、前記スクランブル鍵を含む情報であって第１のワーク鍵（Ｋｗ１）により暗号化された第１の共通情報（ＥＣＭ１）を生成する第１の共通情報生成ステップ（Ｓ１５０）と、前記第１の共通情報生成ステップにより生成された前記第１の共通情報を送信する第１の共通情報送信ステップ（Ｓ１７０）と、前記スクランブル鍵を含む情報であって第２のワーク鍵（Ｋｗ２）により暗号化された第２の共通情報（ＥＣＭ２）を生成する第２の共通情報生成ステップ（Ｓ１５０）と、前記第２の共通情報生成ステップにより生成された前記第２の共通情報を前記第１の共通情報送信ステップが前記第１の共通情報を送信するよりも遅れて送信する第２の共通情報送信ステップ（Ｓ１８０）とを実行させるための送信装置プログラムを提案している。
【００２４】
この発明によれば、スクランブル鍵生成ステップでは、スクランブル鍵を生成する。コンテンツ暗号化ステップでは、スクランブル鍵生成ステップにより生成されたスクランブル鍵によりコンテンツを暗号化する。暗号化コンテンツ送信ステップでは、コンテンツ暗号化ステップにより暗号化された暗号化コンテンツを送信する。第１の共通情報生成ステップでは、スクランブル鍵を含む情報であって第１のワーク鍵により暗号化された第１の共通情報を生成する。第１の共通情報送信ステップでは、第１の共通情報生成ステップにより生成された第１の共通情報を送信する。第２の共通情報生成ステップでは、スクランブル鍵を含む情報であって第２のワーク鍵により暗号化された第２の共通情報を生成する。第２の共通情報送信ステップでは、第２の共通情報生成ステップにより生成された第２の共通情報を第１の共通情報送信ステップが第１の共通情報を送信するよりも遅れて送信する。したがって、一度アクセス制限を設けて送信したコンテンツについて、一定時間経過前に既に送信したコンテンツと同じ内容のコンテンツを再送信することなく、一定時間経過後にそのコンテンツへのアクセス制限を解除することができる。
【００２５】
（９）本発明は、コンピュータに、スクランブル鍵により暗号化された暗号化コンテンツを受信する暗号化コンテンツ受信ステップ（Ｓ２５０，Ｓ３５０）と、前記暗号化コンテンツ受信ステップ（Ｓ３３０）により受信した前記暗号化コンテンツを記憶する暗号化コンテンツ記憶ステップ（Ｓ３４０）と、第１のワーク鍵又は第２のワーク鍵を記憶するワーク鍵記憶ステップ（Ｓ２２０，Ｓ３２０）と、前記スクランブル鍵を含む情報であって前記第１のワーク鍵（Ｋｗ１）により暗号化された第１の共通情報（ＥＣＭ１）又は前記スクランブル鍵を含む情報であって前記第２のワーク鍵（Ｋｗ２）により暗号化された第２の共通情報（ＥＣＭ２）を受信する共通情報受信ステップ（Ｓ２３０，Ｓ３５０）と、前記ワーク鍵記憶ステップが記憶している前記第１のワーク鍵を用いて前記共通情報受信ステップが受信した前記第１の共通情報に含まれる前記スクランブル鍵を復号する、又は、前記ワーク鍵記憶ステップが記憶している前記第２のワーク鍵を用いて前記共通情報受信ステップが受信した前記第２の共通情報に含まれる前記スクランブル鍵を復号するスクランブル鍵復号ステップ（Ｓ２４０，Ｓ３６０）と、前記スクランブル鍵復号ステップにより前記第１のワーク鍵を用いて復号した前記スクランブル鍵を用いて前記暗号化コンテンツ受信ステップが受信した前記暗号化コンテンツを復号する、又は、前記スクランブル鍵復号ステップにより前記第２のワーク鍵を用いて復号した前記スクランブル鍵を用いて前記暗号化コンテンツ受信ステップが受信して前記暗号化コンテンツ記憶ステップに記憶された前記暗号化コンテンツを復号するコンテンツ復号ステップ（Ｓ２６０，Ｓ３７０）とを実行させるための受信装置プログラムを提案している。
【００２６】
この発明によれば、暗号化コンテンツ受信ステップでは、スクランブル鍵により暗号化された暗号化コンテンツを受信する。暗号化コンテンツ記憶ステップでは、暗号化コンテンツ受信ステップにより受信した暗号化コンテンツを記憶する。ワーク鍵記憶ステップでは、第１のワーク鍵又は第２のワーク鍵を記憶する。共通情報受信ステップでは、スクランブル鍵を含む情報であって第１のワーク鍵により暗号化された第１の共通情報又はスクランブル鍵を含む情報であって第２のワーク鍵により暗号化された第２の共通情報を受信する。スクランブル鍵復号ステップでは、ワーク鍵記憶ステップが記憶している第１のワーク鍵を用いて共通情報受信ステップが受信した第１の共通情報に含まれるスクランブル鍵を復号する、又は、ワーク鍵記憶ステップが記憶している第２のワーク鍵を用いて共通情報受信ステップが受信した第２の共通情報に含まれるスクランブル鍵を復号する。コンテンツ復号ステップでは、スクランブル鍵復号ステップにより第１のワーク鍵を用いて復号したスクランブル鍵を用いて暗号化コンテンツ受信ステップが受信した暗号化コンテンツを復号する、又は、スクランブル鍵復号ステップにより第２のワーク鍵を用いて復号したスクランブル鍵を用いて暗号化コンテンツ受信ステップが受信して暗号化コンテンツ記憶ステップに記憶された暗号化コンテンツを復号する。したがって、一度アクセス制限を設けて送信したコンテンツについて、一定時間経過前に既に送信したコンテンツと同じ内容のコンテンツを再送信することなく、一定時間経過後にそのコンテンツへのアクセス制限を解除することができる。
【発明の効果】
【００２７】
本発明によれば、一度アクセス制限を設けて送信したコンテンツについて、一定時間経過前に既に送信したコンテンツと同じ内容のコンテンツを再送信することなく、一定時間経過後にそのコンテンツへのアクセス制限を解除することができる。これにより、帯域を有効に利用しながら、時間経過とともに価値が低下するコンテンツ等について段階的にアクセス制限を解除する放送サービスを提供することができる。
【図面の簡単な説明】
【００２８】
【図１】本発明による送受信システムの実施形態の概要を示す図である。
【図２】送信装置１００の構成を示す図である。
【図３】受信装置２００の構成を示す図である。
【図４】本実施形態におけるコンテンツの送受信から再生までの処理を示す図である。
【図５】本実施形態におけるコンテンツ及び第１の共通情報ＥＣＭ１，第２の共通情報ＥＣＭ２の送信及び受信の時間的な相関関係を示す図である。
【図６】送信装置１００の動作を示すフローチャートである。
【図７】視聴コース１の登録がされている受信装置の動作を示すフローチャートである。
【図８】視聴コース２の登録がされている受信装置の動作を示すフローチャートである。
【発明を実施するための形態】
【００２９】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３０】
（実施形態）
図１は、本発明による送受信システムの実施形態の概要を示す図である。
本実施形態の送受信システムは、送信装置１００と、受信装置２００とを備えている。本実施形態の送受信システムは、様々な形態のコンテンツを放送するマルチメディア放送システムである。なお、以下の説明においては、本発明の特徴を理解しやすいように、株価情報を放送する場合を例に挙げて説明する。
【００３１】
図２は、送信装置１００の構成を示す図である。
なお、図２に示した本実施形態の送信装置１００は、放送局３００内に設置されているが、放送局から離れた場所に設置されていてもよい。
送信装置１００は、鍵情報生成手段１０１と、コンテンツ送信手段１０２と、鍵情報送信手段１０３とを備えている。
【００３２】
鍵情報生成手段１０１は、スクランブル鍵生成手段１０１ａと、固有鍵生成手段１０１ｂと、ワーク鍵生成手段１０１ｃとを有している。
【００３３】
スクランブル鍵生成手段１０１ａは、後述するコンテンツの暗号化に用いるスクランブル鍵Ｋｓを生成する。スクランブル鍵生成手段１０１ａは、生成したスクランブル鍵Ｋｓを第１の共通情報生成手段１０３ｃと、第２の共通情報生成手段１０３ｄと、コンテンツ暗号化手段１０２ａとへ送る。
【００３４】
固有鍵生成手段１０１ｂは、視聴権識別情報に基づいて、視聴コース１（第１のサービス）に対応する第１の固有鍵Ｋｍ１、及び、視聴コース２（第２のサービス）に対応する第２の固有鍵Ｋｍ２を生成する。ここで、視聴権識別情報とは、後述の受信装置２００、又は、受信装置２００を保有して本送受信システムを用いたサービスを享受する加入者を一意に特定する情報である。なお、視聴コース１及び視聴コース２と、第１の固有鍵Ｋｍ１及び第２の固有鍵Ｋｍ２とについては、後述する。
【００３５】
ワーク鍵生成手段１０１ｃは、視聴コース１に対応する第１のワーク鍵Ｋｗ１、及び、視聴コース２に対応する第２のワーク鍵Ｋｗ２を生成する。ワーク鍵生成手段１０１ｃは、生成した第１のワーク鍵Ｋｗ１を第１の共通情報生成手段１０３ｃと、第１の個別情報生成手段１０３ａとへ送る。また、ワーク鍵生成手段１０１ｃは、生成した第２のワーク鍵Ｋｗ２を第２の共通情報生成手段１０３ｄと、第２の個別情報生成手段１０３ｂとへ送る。
【００３６】
コンテンツ送信手段１０２は、コンテンツ暗号化手段１０２ａと暗号化コンテンツ送信手段１０２ｂとを有している。コンテンツ送信手段１０２では、このコンテンツ暗号化手段１０２ａがスクランブル鍵Ｋｓにより暗号化した暗号化コンテンツを暗号化コンテンツ送信手段１０２ｂが放送波によって送信する。
【００３７】
本実施形態では、コンテンツ送信手段１０２が送信するコンテンツは、株価情報であり、単位時間刻みでスクランブル鍵Ｋｓにより暗号化されて送信が継続的に行われる。これにより、刻々と変化する株価情報をリアルタイムで視聴者に伝えることができる。
ただし、本実施形態では、株価情報をリアルタイムで視聴できる視聴者は、特定の視聴者に限られる。すなわち、株価情報をリアルタイムで視聴できる視聴コース（以下、視聴コース１）を利用する旨の登録を行った受信装置を用いる視聴者（以下、登録者）は、株価情報をリアルタイムで視聴できる。一方、視聴コース１を利用する旨の登録を行っていない受信装置を用いる視聴者（以下、非登録者）は、株価情報をリアルタイムで視聴できない。なお、上記視聴コース１の登録を行っていない場合の視聴コースを、以下の説明では、視聴コース２と呼び、視聴コース２を利用する場合の登録も行われるものとする。また、視聴コース１及び視聴コース２それぞれの登録については、有償・無償のいずれの形態であってもよい。本実施形態では、視聴コース１の方がより有益な情報を取得できるので、視聴コース１の方が視聴コース２よりもより多くの対価を必要とすることを想定している。
【００３８】
また、本実施形態のコンテンツ送信手段１０２は、株価情報をＩＰデータキャスト（ＩＰＤＣ）のデータ形態で放送する。ＩＰデータキャストとは、インターネット・プロトコルのＩＰマルチキャストパケット（送信元ＩＰアドレスを付与し、送信先のＩＰアドレスは指定しない）を送信装置から不特定多数の受信装置への片方向で情報を一斉配信するものである。
【００３９】
鍵情報送信手段１０３は、第１の個別情報生成手段１０３ａと、第２の個別情報生成手段１０３ｂと、第１の共通情報生成手段１０３ｃと、第２の共通情報生成手段１０３ｄと、共通情報遅延時間情報生成手段１０３ｅと、第１の個別情報送信手段１０３ｆと、第２の個別情報送信手段１０３ｇと、第１の共通情報送信手段１０３ｈと、第２の共通情報送信手段１０３ｉと、共通情報遅延時間情報送信手段１０３ｊとを備えている。
【００４０】
第１の個別情報生成手段１０３ａは、第１の個別情報ＥＭＭ１を生成し、第１の個別情報送信手段１０３ｆへ送る。
【００４１】
第２の個別情報生成手段１０３ｂは、第２の個別情報ＥＭＭ２を生成し、第２の個別情報送信手段１０３ｇへ送る。
第１の個別情報ＥＭＭ１及び第２の個別情報ＥＭＭ２は、それぞれ、第１のワーク鍵Ｋｗ１及び第２のワーク鍵Ｋｗ２を含む情報であって第１の固有鍵Ｋｍ１及び第２の固有鍵Ｋｍ２により暗号化された情報である。すなわち、第１の個別情報ＥＭＭ１は、第１のワーク鍵Ｋｗ１を含み、第１の固有鍵Ｋｍ１により暗号化された情報である。第２の個別情報ＥＭＭ２は、第２のワーク鍵Ｋｗ２を含み、第２の固有鍵Ｋｍ２により暗号化された情報である。
【００４２】
上述したように、第１の固有鍵Ｋｍ１及び第２の固有鍵Ｋｍ２は、サービスを享受する加入者を一意に特定する視聴権識別情報に基づいて、固有鍵生成手段１０１ｂにより生成されている。そして、第１の固有鍵Ｋｍ１は、視聴コース１の視聴権識別情報に一意に対応し、第２の固有鍵Ｋｍ２は、視聴コース２の視聴権識別情報に一意に対応する。しかし、例えば、第２の固有鍵Ｋｍ２を持つ受信装置２００の使用者が、新たに視聴コース１の登録を行った場合には、固有鍵生成手段１０１ｂは、該当する視聴権識別情報に基づいて視聴コース１に対応する第１の固有鍵Ｋｍ１を生成する。同様に、第１の固有鍵Ｋｍ１を持つ受信装置２００の使用者が、視聴コース１の登録を解除した場合には、固有鍵生成手段１０１ｂは、該当する視聴権識別情報に基づいて視聴コース２に対応する第２の固有鍵Ｋｍ２を生成する。
【００４３】
よって、第１の個別情報ＥＭＭ１は、受信装置２００が視聴コース１に登録した登録者が使用する装置（第１の固有鍵Ｋｍ１を持つ装置）であれば、この第１の個別情報ＥＭＭ１を復号して視聴コース１に対応した第１のワーク鍵Ｋｗ１を取得可能となる情報である。一方、第２の個別情報ＥＭＭ２は、受信装置２００が視聴コース２に登録した登録者が使用する装置（第２の固有鍵Ｋｍ２を持つが、第１の固有鍵Ｋｍ１を持たない装置）であれば、第１の個別情報ＥＭＭ１を復号することはできないが、第２の個別情報ＥＭＭ２を復号することができ、視聴コース２に対応した第２のワーク鍵Ｋｗ２を取得可能となる情報である。
【００４４】
第１の共通情報生成手段１０３ｃは、スクランブル鍵Ｋｓを含む情報であって第１のワーク鍵Ｋｗ１により暗号化された第１の共通情報ＥＣＭ（Entitlement Control Message：共通情報）１を生成する。第１の共通情報生成手段１０３ｃは、生成した第１の共通情報ＥＣＭ１を第１の共通情報送信手段１０３ｈへ送る。
【００４５】
第２の共通情報生成手段１０３ｄは、スクランブル鍵Ｋｓを含む情報であって第２のワーク鍵Ｋｗ２により暗号化された第２の共通情報ＥＣＭ２を生成する。第２の共通情報生成手段１０３ｄは、生成した第２の共通情報ＥＣＭ２を第２の共通情報送信手段１０３ｉへ送る。
ここで、第２の共通情報ＥＣＭ２が第２のワーク鍵Ｋｗ２により暗号化される前の情報の内容は、第１の共通情報ＥＣＭ１が第１のワーク鍵Ｋｗ１により暗号化される前の情報の内容と同一である。すなわち、第１の共通情報ＥＣＭ１と第２の共通情報ＥＣＭ２とは、暗号化されるときの鍵のみが異なり、これらが復号された情報であるスクランブル鍵Ｋｓは同一である。
【００４６】
共通情報遅延時間情報生成手段１０３ｅは、第１の共通情報送信手段１０３ｈが第１の共通情報ＥＣＭ１を送信するよりも第２の共通情報送信手段１０３ｉが第２の共通情報ＥＣＭ２を遅れて送信する遅延時間に関する情報（以下、共通情報遅延時間情報）を生成する。本実施形態の共通情報遅延時間情報生成手段１０３ｅは、遅延時間に関する情報として、遅延時間Δｔを生成する。遅延時間については、後述する。共通情報遅延時間情報生成手段１０３ｅは、生成した共通情報遅延時間情報を共通情報遅延時間情報送信手段１０３ｊへ送る。
【００４７】
第１の個別情報送信手段１０３ｆは、第１の個別情報生成手段１０３ａが生成した第１の個別情報ＥＭＭ１を送信する。
【００４８】
第２の個別情報送信手段１０３ｇは、第２の個別情報生成手段１０３ｂが生成した第２の個別情報ＥＭＭ２を送信する。
【００４９】
第１の共通情報送信手段１０３ｈは、第１の共通情報生成手段１０３ｃが生成した第１の共通情報ＥＣＭ１を送信する。
【００５０】
第２の共通情報送信手段１０３ｉは、第２の共通情報生成手段１０３ｄが生成した第２の共通情報ＥＣＭ２を第１の共通情報送信手段１０３ｈが第１の共通情報ＥＣＭ１を送信するよりも遅れて送信する。
【００５１】
共通情報遅延時間情報送信手段１０３ｊは、共通情報遅延時間情報生成手段１０３ｅが生成した共通情報遅延時間情報を送信する。
【００５２】
なお、本実施形態では、鍵情報送信手段１０３は、コンテンツ送信手段１０２と同様にＩＰデータキャストのデータ形態で各種データを放送するが、コンテンツ送信手段１０２とは異なる伝送方法を用いてもよい。また、本実施形態では、鍵情報送信手段１０３は、第１の個別情報生成手段１０３ａと、第２の個別情報生成手段１０３ｂと、第１の共通情報生成手段１０３ｃと、第２の共通情報生成手段１０３ｄと、共通情報遅延時間情報生成手段１０３ｅと、第１の個別情報送信手段１０３ｆと、第２の個別情報送信手段１０３ｇと、第１の共通情報送信手段１０３ｈと、第２の共通情報送信手段１０３ｉと、共通情報遅延時間情報送信手段１０３ｊとを備えている構成として説明するが、これらを分けることなくひとつの情報送信手段として構成してもよいし、全てを独立して構成してもよい。
【００５３】
図３は、受信装置２００の構成を示す図である。
受信装置２００は、コンテンツ受信手段２０１と、鍵情報受信手段２０２と、固有鍵記憶手段２０３と、鍵情報復号手段２０４と、ワーク鍵記憶手段２０５と、コンテンツ復号手段２０６とを備えている。
【００５４】
コンテンツ受信手段２０１は、暗号化コンテンツ受信手段２０１ａと、暗号化コンテンツ記憶手段２０１ｂとを有している。暗号化コンテンツ受信手段２０１ａは、コンテンツ送信手段１０２が送信した暗号化コンテンツを受信する。コンテンツ受信手段２０１が受信した暗号化コンテンツは、暗号化コンテンツ記憶手段２０１ｂ及びコンテンツ復号手段２０６へ送られる。なお、コンテンツ受信手段２０１が受信した暗号化コンテンツを、暗号化コンテンツ記憶手段２０１ｂ又はコンテンツ復号手段２０６のいずれに送るのかを、いずれの視聴コースに加入しているのかによって選択的に切り換えるようにしてもよい。
【００５５】
暗号化コンテンツ記憶手段２０１ｂは、コンテンツ受信手段２０１が受信したコンテンツを記憶する。また、暗号化コンテンツ記憶手段２０１ｂは、共通情報遅延時間情報受信手段２０２ｂから遅延時間Δｔを取得する。暗号化コンテンツ記憶手段２０１ｂは、少なくとも遅延時間Δｔ以上は継続してコンテンツの記憶を行う。なお、所定時間を経過したコンテンツは、新しいコンテンツを記憶する度に順次消去してもよい。
【００５６】
鍵情報受信手段２０２は、共通情報受信手段２０２ａと、共通情報遅延時間情報受信手段２０２ｂと、個別情報受信手段２０２ｃとを備えている。なお、本実施形態では、鍵情報受信手段２０２は、共通情報受信手段２０２ａと、共通情報遅延時間情報受信手段２０２ｂと、個別情報受信手段２０２ｃとを有する構成として説明するが、これらを分けることなくひとつの鍵情報受信手段として構成してもよいし、全てを独立して構成してもよい。
【００５７】
共通情報受信手段２０２ａは、第１の共通情報ＥＣＭ１又は第２の共通情報ＥＣＭ２を受信して、受信した第１の共通情報ＥＣＭ１又は第２の共通情報ＥＣＭ２をスクランブル鍵復号手段２０４ｂへ伝える。
【００５８】
共通情報遅延時間情報受信手段２０２ｂは、共通情報遅延時間情報送信手段１０３ｊが送信した遅延時間に関する情報を受信する。本実施形態の共通情報遅延時間情報受信手段２０２ｂは、遅延時間Δｔを受信し、この遅延時間Δｔを暗号化コンテンツ記憶手段２０１ｂへ送る。
【００５９】
個別情報受信手段２０２ｃは、第１の個別情報ＥＭＭ１又は第２の個別情報ＥＭＭ２を受信して、受信した第１の個別情報ＥＭＭ１又は第２の個別情報ＥＭＭ２をワーク鍵復号手段２０４ａへ伝える。
【００６０】
固有鍵記憶手段２０３は、固有鍵生成手段１０１ｂにより生成された第１の固有鍵Ｋｍ１又は第２の固有鍵Ｋｍ２を記憶している。
【００６１】
鍵情報復号手段２０４は、ワーク鍵復号手段２０４ａと、スクランブル鍵復号手段２０４ｂとを有している。
ワーク鍵復号手段２０４ａは、固有鍵記憶手段２０３に記憶されている第１の固有鍵Ｋｍ１又は第２の固有鍵Ｋｍ２を用いて、個別情報受信手段２０２ｃから得た第１の個別情報ＥＭＭ１又は第２の個別情報ＥＭＭ２を復号して、第１のワーク鍵Ｋｗ１又は第２のワーク鍵Ｋｗ２を取得する。ワーク鍵復号手段２０４ａは、取得した第１のワーク鍵Ｋｗ１又は第２のワーク鍵Ｋｗ２をワーク鍵記憶手段２０５へ送る。
【００６２】
スクランブル鍵復号手段２０４ｂは、共通情報受信手段２０２ａから取得した第１の共通情報ＥＣＭ１又は第２の共通情報ＥＣＭ２をワーク鍵記憶手段２０５に記憶している第１のワーク鍵Ｋｗ１又は第２のワーク鍵Ｋｗ２を用いて復号して、スクランブル鍵Ｋｓを取得する。スクランブル鍵復号手段２０４ｂは、取得したスクランブル鍵Ｋｓをコンテンツ復号手段２０６へ送る。
【００６３】
ワーク鍵記憶手段２０５は、ワーク鍵復号手段２０４ａが取得した第１のワーク鍵Ｋｗ１又は第２のワーク鍵Ｋｗ２を記憶する。また、ワーク鍵記憶手段２０５は、記憶している第１のワーク鍵Ｋｗ１又は第２のワーク鍵Ｋｗ２をスクランブル鍵復号手段２０４ｂへ送る。
【００６４】
コンテンツ復号手段２０６は、スクランブル鍵復号手段２０４ｂが復号したスクランブル鍵Ｋｓを用いて、暗号化コンテンツの復号を行う。ここで、コンテンツ復号手段２０６が暗号化コンテンツの復号を行うときの受信装置２００の動作は、受信装置２００が視聴コース１又は視聴コース２のいずれに登録されている装置であるのかによって、動作が異なるので、以下では、視聴コース毎に分けて説明する。
【００６５】
まず、受信装置２００が視聴コース１に登録された装置である場合、すなわち、第１の固有鍵Ｋｍ１が固有鍵記憶手段２０３に記憶されている場合について説明する。この場合、ワーク鍵復号手段２０４ａが、固有鍵記憶手段２０３から第１の固有鍵Ｋｍ１を得て、第１の個別情報ＥＭＭ１を復号して、第１のワーク鍵Ｋｗ１を取得する。ワーク鍵記憶手段２０５は、ワーク鍵復号手段２０４ａが取得した第１のワーク鍵Ｋｗ１を記憶する。次に、ワーク鍵記憶手段２０５が記憶している第１のワーク鍵Ｋｗ１を用いて、スクランブル鍵復号手段２０４ｂが第１の共通情報ＥＣＭ１の復号を行い、スクランブル鍵Ｋｓを取得する。コンテンツ復号手段２０６は、このスクランブル鍵Ｋｓを用いて暗号化コンテンツを復号する。復号されたコンテンツは、不図示の表示部等により再生される。
ここで、視聴コース１に登録された受信装置２００においてコンテンツ復号手段２０６が暗号化コンテンツの復号と再生を行う時点は、暗号化コンテンツ受信手段２０１ａが暗号化コンテンツを受信したときと略同時である。また、コンテンツ復号手段２０６が再生を行う暗号化コンテンツは、暗号化コンテンツ記憶手段２０１ｂに記憶されたコンテンツではなく、受信した暗号化コンテンツそのものである。なお、コンテンツ復号手段２０６が再生を行うときには、再生処理のための一時的な記憶は適宜行われている。ここで、コンテンツ受信手段２０１が暗号化コンテンツを受信したときと略同時とは、暗号化コンテンツの伝達等の処理に要する僅かな時間のズレを含む意味である。
【００６６】
次に、受信装置２００が視聴コース２に登録された装置である場合、すなわち、固有鍵記憶手段２０３に第１の固有鍵Ｋｍ１が記憶されておらず、第２の固有鍵Ｋｍ２のみが記憶されている場合について説明する。この場合、ワーク鍵復号手段２０４ａが、固有鍵記憶手段２０３から第２の固有鍵Ｋｍ２を得て、第２の個別情報ＥＭＭ２を復号して、第２のワーク鍵Ｋｗ２を取得する。ワーク鍵記憶手段２０５は、ワーク鍵復号手段２０４ａが取得した第２のワーク鍵Ｋｗ２を記憶する。次に、ワーク鍵記憶手段２０５が記憶している第２のワーク鍵Ｋｗ２を用いて、スクランブル鍵復号手段２０４ｂが第２の共通情報ＥＣＭ２の復号を行い、スクランブル鍵Ｋｓを取得する。コンテンツ復号手段２０６は、このスクランブル鍵Ｋｓを用いて暗号化コンテンツを復号する。復号されたコンテンツは、不図示の表示部等により再生される。
ここで、視聴コース２に登録された受信装置２００においてコンテンツ復号手段２０６がコンテンツの復号と再生を行う時点は、暗号化コンテンツ受信手段２０１ａが暗号化コンテンツを受信したときから所定の遅延時間Δｔだけ遅れた時点となる。この遅延時間Δｔについては、後述する。
【００６７】
なお、受信装置２００側では、固有鍵記憶手段２０３に記憶されている固有鍵が第１の固有鍵Ｋｍ１であるのか第２の固有鍵Ｋｍ２であるのか、すなわち、視聴コース１に登録されているのか視聴コース２に登録されているのかが判断できないような構成となっている場合も想定される。そのような場合には、とりあえずワーク鍵記憶手段２０５から第１のワーク鍵Ｋｗ１又は第２のワーク鍵Ｋｗ２（実際にはどちらの鍵であるのか不明）を取得して、この第１のワーク鍵Ｋｗ１又は第２のワーク鍵Ｋｗ２を用いて第１の共通情報ＥＣＭ１の復号を試みる。そして、第１の共通情報ＥＣＭ１の復号が成功すれば、放送とリアルタイムでのコンテンツ再生を行得ことができる。また、第１の共通情報ＥＣＭ１の復号が失敗した場合には、その旨のメッセージの表示等を行うとともに、遅延時間Δｔの経過後に暗号化コンテンツ記憶手段２０１ｂに記憶されている暗号化コンテンツの復号及び再生を行う。
【００６８】
次に、本実施形態の送受信システムの動作を説明する。
図４は、本実施形態におけるコンテンツの送受信から再生までの処理を示す図である。
図５は、本実施形態におけるコンテンツ及び第１の共通情報ＥＣＭ１，第２の共通情報ＥＣＭ２の送信及び受信の時間的な相関関係を示す図である。
図４及び図５において、Ｃ０，Ｃ１，Ｃ２，・・・，Ｃ８，Ｃ９，Ｃ１０は、時系列に連続したコンテンツを示している。本実施形態では、それぞれが、特定時刻（例えば、１分毎や、１秒毎）の株価を示す情報となっている。これと同様に、ＥＣ０，ＥＣＭ１０，ＥＣＭ２０は、それぞれ、時系列に連続した暗号化されたコンテンツ，第１の共通情報ＥＣＭ１，第２の共通情報ＥＣＭ２を表している。さらに、これらの添え字が同じものは、互いに同じコンテンツに対応したデータであることを示している。例えば、コンテンツＣ１に対応する暗号化されたコンテンツ，第１の共通情報ＥＣＭ１，第２の共通情報ＥＣＭ２は、それぞれＥＣ１，ＥＣＭ１１，ＥＣＭ２１である。
また、これら添え字により分けられるコンテンツ等を分割する単位時間は、適宜選択すればよい。図５に示した例では、５個の単位時間分だけ第２の共通情報ＥＣＭ２の送信を遅延させているが、この数も適宜選択することができる。本実施形態では、単位時間を１分としており、図５に示した例では遅延時間Δｔ＝５分である。しかし、例えば、単位時間を１０分とすれば、図５に示した例では遅延時間Δｔ＝５０分となる。また、単位時間が１分であっても、図５とは異なり、２０個の単位時間分だけ第２の共通情報ＥＣＭ２の送信を遅延させれば、遅延時間Δｔ＝２０分となる。
【００６９】
図６は、送信装置１００の動作を示すフローチャートである。
ステップ（以下、Ｓ）１１０では、スクランブル鍵生成手段１０１ａが、スクランブル鍵Ｋｓを生成する。また、固有鍵生成手段１０１ｂが、第１の固有鍵Ｋｍ１及び第２の固有鍵Ｋｍ２を生成する。さらに、ワーク鍵生成手段１０１ｃが、第１のワーク鍵Ｋｗ１及び第２のワーク鍵Ｋｗ２を生成する。
【００７０】
Ｓ１２０では、第１の個別情報生成手段１０３ａが、第１のワーク鍵Ｋｗ１を含む第１の個別情報ＥＭＭ１を第１の固有鍵Ｋｍ１により暗号化する。また、第２の個別情報生成手段１０３ｂが、第２のワーク鍵Ｋｗ２を含む第２の個別情報ＥＭＭ２を第２の固有鍵Ｋｍ２により暗号化する。
Ｓ１３０では、第１の個別情報送信手段１０３ｆ及び第２の個別情報送信手段１０３ｇが、それぞれ第１の個別情報ＥＭＭ１及び第２の個別情報ＥＭＭ２を送信する。なお第１の個別情報ＥＭＭ１，第２の個別情報ＥＭＭ２の送信の頻度は、例えば、登録情報の更新が１ヶ月毎であれば、１ヶ月に１回でもよい。
【００７１】
Ｓ１４０では、コンテンツ暗号化手段１０２ａが、コンテンツをスクランブル鍵Ｋｓで暗号化する。
Ｓ１５０では、第１の共通情報生成手段１０３ｃ及び第２の共通情報生成手段１０３ｄが、スクランブル鍵Ｋｓをそれぞれ含む第１の共通情報ＥＣＭ１及び第２の共通情報ＥＣＭ２を第１のワーク鍵Ｋｗ１及び第２のワーク鍵Ｋｗ２によりそれぞれ暗号化する。
【００７２】
Ｓ１６０では、暗号化コンテンツ送信手段１０２ｂが、暗号化されたコンテンツを送信する（コンテンツ送信ステップ）。
Ｓ１７０では、第１の共通情報送信手段１０３ｈが、第１の共通情報ＥＣＭ１を送信する（第１の情報送信ステップ）。この第１の共通情報ＥＣＭ１の送信は、Ｓ１６０におけるコンテンツの送信とともに行われる（図５参照）。
【００７３】
Ｓ１８０では、第２の共通情報送信手段１０３ｉが、第２の共通情報ＥＣＭ２を第１の共通情報ＥＣＭ１よりも遅延して送信する（第２の情報送信ステップ）。この第２の共通情報ＥＣＭ２の送信は、第１の共通情報ＥＣＭ１を送信した時刻よりも所定の遅延時間Δｔだけ遅らせて行われる。図５に示す例では、遅延時間Δｔ＝５分だけ遅延して送信される。したがって、本実施形態では、第１の共通情報ＥＣＭ１よりも５分遅延して第２の共通情報ＥＣＭ２が送信される。
【００７４】
図７は、視聴コース１の登録がされている受信装置の動作を示すフローチャートである。
Ｓ２１０では、個別情報受信手段２０２ｃが、第１の個別情報ＥＭＭ１を受信する。なお、送信装置１００は、第１の個別情報ＥＭＭ１の他に第２の個別情報ＥＭＭ２も送信しているので、個別情報受信手段２０２ｃは、第１の個別情報ＥＭＭ１に加えて遅延送信されている第２の個別情報ＥＭＭ２の受信もしている。しかし、ここで説明する視聴コース１の登録がされている受信装置の動作では第２の個別情報ＥＭＭ２を使用しないので、第２の個別情報ＥＭＭ２受信をしてもそのまま放置する。
【００７５】
Ｓ２２０では、ワーク鍵復号手段２０４ａが、固有鍵記憶手段２０３に記憶されている第１の固有鍵Ｋｍ１を用いて第１の個別情報ＥＭＭ１を復号して、第１のワーク鍵Ｋｗ１を取得する。取得した第１のワーク鍵Ｋｗ１は、ワーク鍵記憶手段２０５に記憶される（鍵記憶ステップ）。
Ｓ２３０では、共通情報受信手段２０２ａが、第１の共通情報ＥＣＭ１を受信する（情報受信ステップ）。
【００７６】
Ｓ２４０では、スクランブル鍵復号手段２０４ｂが、Ｓ２２０で取得した第１のワーク鍵Ｋｗ１を用いて第１の共通情報ＥＣＭ１を復号し、スクランブル鍵Ｋｓを取得する。
Ｓ２５０では、暗号化コンテンツ受信手段２０１ａが、暗号化されたコンテンツを受信する（コンテンツ受信ステップ）。
【００７７】
Ｓ２６０では、コンテンツ復号手段２０６が、スクランブル鍵Ｋｓを用いて暗号化コンテンツを復号する（第１のコンテンツ復号ステップ）。
Ｓ２７０では、不図示の表示部に復号したコンテンツを表示する。本実施形態では、株価情報を略リアルタイムで表示する。
【００７８】
図８は、視聴コース２の登録がされている受信装置の動作を示すフローチャートである。
Ｓ３１０では、個別情報受信手段２０２ｃが、第２の個別情報ＥＭＭ２を受信する。なお、先に説明したように、送信装置１００は、第２の個別情報ＥＭＭ２の他に第１の個別情報ＥＭＭ１も送信しているので、個別情報受信手段２０２ｃは、第２の個別情報ＥＭＭ２に加えてリアルタイム送信されている第１の個別情報ＥＭＭ１の受信もしている。しかし、ここで説明する視聴コース２の登録がされている受信装置の動作では第１の個別情報ＥＭＭ１を使用しない。
【００７９】
Ｓ３２０では、ワーク鍵復号手段２０４ａが、固有鍵記憶手段２０３に記憶されている第２の固有鍵Ｋｍ２を用いて第２の個別情報ＥＭＭ２を復号して、第２のワーク鍵Ｋｗ２を取得する。取得した第２のワーク鍵Ｋｗ２は、ワーク鍵記憶手段２０５に記憶される（鍵記憶ステップ）。
【００８０】
Ｓ３３０では、暗号化コンテンツ受信手段２０１ａが、暗号化コンテンツを受信する（コンテンツ受信ステップ）。
Ｓ３４０では、暗号化コンテンツ記憶手段２０１ｂが、コンテンツ受信手段２０１により受信されたコンテンツを暗号化されたままの状態で記憶する（コンテンツ記憶ステップ）。
【００８１】
Ｓ３５０では、共通情報受信手段２０２ａが、第２の共通情報ＥＣＭ２を受信する（情報受信ステップ）。
このステップで受信する第２の共通情報ＥＣＭ２は、先にＳ３３０で受信した暗号化コンテンツに対応する第２の共通情報ＥＣＭ２であるが、コンテンツが送信されてから所定の遅延時間Δｔを経過した後に送信されたものである。したがって、このステップは、Ｓ３３０から所定の遅延時間Δｔを経過した後に実行されていることになる。
【００８２】
Ｓ３６０では、スクランブル鍵復号手段２０４ｂが、Ｓ３２０で取得した第２のワーク鍵Ｋｗ２を用いて第２の共通情報ＥＣＭ２を復号し、スクランブル鍵Ｋｓを取得する。
Ｓ３７０では、コンテンツ復号手段２０６が、スクランブル鍵Ｋｓを用いてコンテンツを復号する（第２のコンテンツ復号ステップ）。
【００８３】
Ｓ３８０では、不図示の表示部に復号したコンテンツを表示する。本実施形態では、株価情報が送信装置から送信されてから少なくとも遅延時間Δｔを経過した後に表示される。よって、非登録者（視聴コース２の登録者）は、視聴コース１の登録者が株価情報をリアルタイムで視聴したときよりも、遅延時間Δｔ以上遅れて同じ株価情報を視聴可能となる。
【００８４】
以上説明したように、本実施形態によれば、視聴コース１の登録がされている受信装置では、固有鍵記憶手段が記憶している固有鍵と第１の個別情報ＥＭＭ１により復号された視聴コース１を視聴するためのワーク鍵と暗号化されたコンテンツと略同時に送信される第１の共通情報ＥＣＭ１を復号してスクランブル鍵を取得できる。よって、視聴コース１の登録がされている受信装置では、暗号化コンテンツをリアルタイムで復号して視聴可能な状態にできる。
一方、視聴コース１の登録がされておらず、視聴コース２の登録がされている受信装置では、固有鍵記憶手段が記憶している固有鍵と第２の個別情報ＥＭＭ２により復号された視聴コース１を視聴するための正しいワーク鍵を得ることができず、さらに、本ワーク鍵と第１の共通情報ＥＣＭ１による視聴コース１を視聴するための正しいワーク鍵を得ることができないので、コンテンツをリアルタイムで復号することができない。そして、視聴コース２の登録がされている受信装置では、暗号化されたコンテンツが送信されてから所定の遅延時間経過以後に送信される第２の共通情報ＥＣＭ２を復号してスクランブル鍵を取得できる。よって、視聴コース２の登録がされている受信装置では、遅延時間の経過以後にアクセス制限が解除されることとなり、コンテンツを復号して視聴可能な状態にできる。
このように、本実施形態では、同じコンテンツを再送信しなくとも、視聴者に応じて視聴可能な時刻に時間差を設定できる。
【００８５】
なお、送信装置、又は、受信装置の処理をコンピュータ読み取り可能な記録媒体に記録し、この記録媒体に記録されたプログラムを送信装置、又は、受信装置に読み込ませ、実行することによって本発明の送信装置、受信装置、送受信方法を実現することができる。ここでいうコンピュータシステムとは、ＯＳや周辺装置等のハードウェアを含む。
【００８６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００８７】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００８８】
以上、この発明の実施形態につき、図面を参照して詳述してきたが、具体的な構成はこの実施形態に限られるものではなく、この発明の要旨を逸脱しない範囲の設計等も含まれる。
【００８９】
（変形形態）
（１）本実施形態において、視聴コース１の登録者は、リアルタイムでコンテンツの視聴を行い、視聴コース２の登録者は、コンテンツの遅延再生を行うものとして説明を行った。これに限らず、例えば、視聴コース１の登録者は、リアルタイムの視聴に加えて、遅延再生をも行えるようにしてもよい。
【００９０】
（２）本実施形態において、コンテンツとして株価情報を扱う場合を例に挙げて説明した。しかし、これに限らず、例えば、映像番組や音楽等、コンテンツとして送信可能なものであれば、どのようなデータを扱う場合であってもよい。
【００９１】
（３）本実施形態において、共通情報遅延時間情報送信手段１０３ｊは、遅延時間に関する情報として、遅延時間Δｔそのものを送信する例を挙げて説明した。しかし、これに限らず、例えば、遅延時間に加えてコンテンツの一区切りを表す単位時間を送信してもよい。また、いずれの第２の共通情報ＥＣＭ２がいずれのコンテンツと対応するのかに関する情報を遅延時間と関連付けて送信してもよい。
【００９２】
なお、実施形態及び変形形態は、適宜組み合わせて用いることもできるが、詳細な説明は省略する。
【符号の説明】
【００９３】
１００  送信装置
１０１  鍵情報生成手段
１０１ａ  スクランブル鍵生成手段
１０１ｂ  固有鍵生成手段
１０１ｃ  ワーク鍵生成手段
１０２  コンテンツ送信手段
１０２ａ  コンテンツ暗号化手段
１０２ｂ  暗号化コンテンツ送信手段
１０３  鍵情報送信手段
１０３ａ  第１の個別情報生成手段
１０３ｂ  第２の個別情報生成手段
１０３ｃ  第１の共通情報生成手段
１０３ｄ  第２の共通情報生成手段
１０３ｅ  共通情報遅延時間情報生成手段
１０３ｆ  第１の個別情報送信手段
１０３ｇ  第２の個別情報送信手段
１０３ｈ  第１の共通情報送信手段
１０３ｉ  第２の共通情報送信手段
１０３ｊ  共通情報遅延時間情報送信手段
２００  受信装置
２０１  コンテンツ受信手段
２０１ａ  暗号化コンテンツ受信手段
２０１ｂ  暗号化コンテンツ記憶手段
２０２  鍵情報受信手段
２０２ａ  共通情報受信手段
２０２ｂ  共通情報遅延時間情報受信手段
２０２ｃ  個別情報受信手段
２０３  固有鍵記憶手段
２０４  鍵情報復号手段
２０４ａ  ワーク鍵復号手段
２０４ｂ  スクランブル鍵復号手段
２０５  ワーク鍵記憶手段
２０６  コンテンツ復号手段
３００  放送局
【図１】
2011061266.tif 000003
【図２】
2011061266.tif 000004
【図３】
2011061266.tif 000005
【図４】
2011061266.tif 000006
【図５】
2011061266.tif 000007
【図６】
2011061266.tif 000008
【図７】
2011061266.tif 000009
【図８】
2011061266.tif 000010